(57)【要約】【課題】【解決手段】ＣＤＭＡ符号チャネルが、温度補償されず比較的大きな周波数誤差を備える同調信号を生成する水晶発振器を用いて取得される（例えば、±５ｐｐｍ）。チャネル取得は最初、オフセットなしで、理想的な温度／周波数誤差曲線を入手可能なデータポイントに合わせることにより得られる開始周波数から試みられる。成功しなかったパイロット取得の後、オフセット周波数は「スパイラル」方式でステップされ、パイロット取得がやり直される。パイロット及び同期チャネルがうまく取得されるものの、システム識別表示が予期しないものであれば、隣接チャネル・イメージが取得されており、オフセット周波数は大きなステップ（例えば１５ｋＨｚ）でバンプされる。パイロット取得は、スパイラル・ステッピングを用いて再試行される。水晶発振器は、パイロット、同期及びページングチャネルのうまくいった取得の度に、周波数取得が成功した際の温度に関する周波数調整テーブル内のデータポイントを保有することによって較正される【選択図】      図１
2008535324.tif 000002
【特許請求の範囲】
【請求項１】
（ａ）開始周波数＋ゼロに設定されているオフセット周波数である、第１の中心周波数でパイロットチャネルの取得を試みることと；
（ｂ）前記パイロットチャネルが取得されていないことを判断することと；
（ｃ）前記オフセット周波数を第１のオフセットに設定することと；
（ｄ）前記開始周波数＋（ｃ）で設定されたオフセット周波数である、第２の中心周波数でパイロットチャネルの取得を試みることと；
を具備するＣＤＭＡセルラシステムにおけるチャネル取得方法。
【請求項２】
（ｅ）前記パイロットチャネルが取得されていることを判断することと；
（ｆ）前記第２の中心周波数で同期チャネルの取得を試みることと；
を更に具備する請求項１の方法。
【請求項３】
前記パイロットチャネルは、所定の２値疑似雑音系列に相関するＩ＋Ｑサンプルが復調されてから取得される請求項２の方法。
【請求項４】
（ｇ）前記同期チャネルが取得されていないことを判断することと；
（ｈ）前記第２の周波数で前記パイロットチャネルの取得をやり直すことと；
を更に具備する請求項２の方法。
【請求項５】
（ｇ）システム識別表示を含んだ前記同期チャネルが取得されていないことを判断することと；
（ｈ）前記システム識別表示が前記ＣＤＭＡセルラシステムを同定しないことを判断することと；
（ｉ）前記オフセット周波数を、前記第１のオフセット＋１５ｋＨｚを超えるバンプ・オフセットに等しい、第２のオフセットに設定することと；
（ｊ）前記開始周波数＋（ｉ）で設定されるオフセット周波数である、第３の中心周波数で前記パイロットチャネルの取得をやり直すことと；
を更に具備する請求項２の方法。
【請求項６】
（ｇ）システム識別表示を含んだ前記同期チャネルが取得されていないことを判断することと；
（ｈ）前記システム識別表示が前記ＣＤＭＡセルラシステムを同定することを判断することと；
（ｉ）前記第２の中心周波数でページングチャネルの取得を試みることと；
を更に具備する請求項２の方法。
【請求項７】
（ａ）におけるパイロットチャネル取得の試みはある温度を持つ水晶発振器を用いて行われ、前記開始周波数は前記水晶発振器の温度の変化に伴って変化する請求項１の方法。
【請求項８】
（ｄ）における前記第２の中心周波数での前記パイロットチャネルの取得の試みは、周波数回転装置を用いて行われる請求項１の方法。
【請求項９】
前記ＣＤＭＡセルラシステムは、ＩＳ−９５、１ｘＥＶ−ＤＯ、ＵＭＴＳ及びＩＳ−２０００で構成されるグループから選択される技術標準をサポートする請求項１の方法。
【請求項１０】
（ａ）開始周波数＋ゼロに設定されているオフセット周波数である、第１の中心周波数を持つ第１のＩ＋Ｑサンプルを抽出することと；
（ｂ）前記第１のＩ＋Ｑサンプルが所定の２値系列と相関しないことを判断することと；
（ｃ）前記オフセット周波数を第１のオフセットに設定すること；
（ｄ）前記開始周波数＋（ｃ）で設定されるオフセット周波数である、第２の中心周波数を持つ第２のＩ＋Ｑサンプルを抽出することと；
を具備するＣＤＭＡセルラシステムにおける周波数取得方法。
【請求項１１】
（ｅ）前記第２のＩ＋Ｑサンプルが前記所定の２値系列と相関すれば、前記第２のＩ＋Ｑサンプルからパイロットチャネル、同期チャネル及びページングチャネルを復調すること；を更に具備する請求項１０の方法。
【請求項１２】
前記所定の２値系列は疑似雑音系列である請求項１０の方法。
【請求項１３】
前記所定の２値系列はウォルッシュ関数である請求項１０の方法。
【請求項１４】
（ａ）における前記第１のＩ＋Ｑサンプルの抽出はある温度を持つ水晶発振器を用いて行われ、前記開始周波数は前記水晶発振器の温度の変化に伴って変化する請求項１０の方法。
【請求項１５】
（ｄ）における第２のＩ＋Ｑサンプルの抽出は周波数回転装置を用いて行われる請求項１０の方法。
【請求項１６】
（ｅ）前記第２のＩ＋Ｑサンプルが前記所定の２値系列と相関しないことを判断することと；
（ｆ）前記オフセット周波数を、前記第１のオフセットの−１倍である第２のオフセットに設定することと；
を更に具備する請求項１０の方法。
【請求項１７】
（ｇ）前記開始周波数＋前記第２のオフセットに設定されたオフセット周波数である、第３の中心周波数を持つ第３のＩ＋Ｑサンプルを抽出することと；
（ｈ）前記第３のＩ＋Ｑサンプルが前記所定の２値系列と相関しないことを判断することと；
（ｉ）前記オフセット周波数を、前記第１のオフセットの２倍である第３のオフセットに設定することと；
を更に具備する請求項１６の方法。
【請求項１８】
（ｅ）同期チャネル・メッセージを含んだ前記第２のＩ＋Ｑサンプルが前記所定の２値系列と相関することを判断することと；
（ｆ）前記同期チャネル・メッセージが前記ＣＤＭＡセルラシステムを同定しないことを判断することと；
（ｇ）前記オフセット周波数を、前記第１のオフセット＋１５キロヘルツを超えるバンプ・オフセットにバンプすることと；
を更に具備する請求項１０の方法。
【請求項１９】
開始周波数＋オフセット周波数に等しい中心周波数を持つＩ＋Ｑサンプルを受け、復調ステータス信号を出力する復調器と；
フレームを出力するデコーダと；
前記フレーム及び前記復調ステータス信号を受け、前記オフセット周波数がこれに応じて設定される周波数制御信号を出力するプロセッサと；
を具備する回路。
【請求項２０】
前記復調器は前記Ｉ＋Ｑサンプルと疑似乱数系列を相関付け、前記復調ステータス信号は前記Ｉ＋Ｑサンプルと前記疑似乱数系列の相関に応じた値を持ち、前記周波数制御信号は前記復調ステータス信号の値に基づく値を持つ請求項１９の回路。
【請求項２１】
前記復調器は疑似乱数系列を用いて前記Ｉ＋Ｑサンプルを逆拡散する請求項１９の回路。
【請求項２２】
前記フレームはＣＤＭＡシステム識別番号を含み、前記プロセッサは前記ＣＤＭＡシステム識別番号が所定の番号に一致しないことを判断し、前記周波数制御信号は前記ＣＤＭＡシステム識別番号が前記所定の番号に一致しないことの判断に基づく値を持つ請求項１９の回路。
【請求項２３】
前記周波数制御信号が前記ＣＤＭＡシステム識別番号は前記所定の番号に一致しないことの判断に基づく値を持つならば、前記オフセット周波数は１５キロヘルツを超える請求項２２の回路。
【請求項２４】
前記Ｉ＋Ｑサンプルの中心周波数を前記周波数制御信号に応じて調整する周波数回転装置を更に具備する請求項１９の回路。
【請求項２５】
開始周波数＋オフセット周波数に等しい中心周波数を持つＩ＋Ｑサンプルを受け、復調ステータス信号を出力する復調器と；
前記復調ステータス信号に基づいて前記オフセット周波数を調整することにより、パイロットチャネルを取得するための手段と；
を具備する回路。
【請求項２６】
前記Ｉ＋ＱサンプルはＲＦキャリアからある温度を持つ水晶発振器を用いて抽出され、前記開始周波数は前記水晶発振器の温度の変化に伴って変化する請求項２５の回路。
【請求項２７】
前記手段は、周波数回転装置を含む請求項２５の回路。
【発明の詳細な説明】
【技術分野】
【０００１】
本開示は、一般に無線通信装置、特に開始周波数が比較的精密でない場合の順方向ＣＤＭＡチャネルの周波数取得方法に関する。
【背景技術】
【０００２】
多くの無線ネットワーク及び移動局（無線端末）は、例えば（１）米国電気通信工業会（Telecommunications Industry Association)／米国電子工業会（Electronic Industry Association）によって公布されたＩＳ−９５標準、（２）１ｘＥＶ−ＤＯに関連する技術標準、（３)「第３世代パートナーシップ・プロジェクト（３ＧＰＰ；3rd Generation Partnership Project）」と名付けられた共同体によって提案されたＵＭＴＳ標準及び（４）「第３世代パートナーシップ・プロジェクト２（３ＧＰＰ２）」と名付けられた共同体によって提案された標準（ＩＳ−２０００標準）などの１またはそれ以上の符号分割多重接続（ＣＤＭＡ）に基づく技術標準をサポートするよう設計されている。上記ＣＤＭＡセルラシステムでは、基地局から複数の移動局へ送信される信号は、周波数分割多重接続（ＦＤＭＡ）や時分割多重接続（ＴＤＭＡ）のような単なる周波数や時間の割り当てでなく固有の符号によって互いに区別される。１つのセルラシステムにおいて単チャネル上の全ての携帯電話は同じ広帯域搬送周波数を利用する。基地局から移動局までの順方向ＣＤＭＡチャネル（ダウンリンクチャネルとも呼ばれる）では、基地局は移動局の各々に直接送信するために異なる符合を用いて、セル／セクタ中でユーザデータを複数の移動局へ一斉に送信する。直接拡散ＣＤＭＡシステムでは、データ信号によって搬送信号を変調し、結果信号を広帯域拡散信号で再度変調することによって、送信される信号はデータを送信するのに必要な最小の帯域幅よりも広い周波数帯域上で拡散される。各移動局は、広帯域無線チャネルの全体を占める様々な符号チャネルの取得処理を経て、特定のセル／セクタに関して適切な広帯域符号化された信号を取得する。
【０００３】
所定の中心周波数に集められた広帯域符号チャネルを取得するために、移動局は広帯域符号化信号をミックス・ダウンまたはダウン・サンプルするための同調信号を生成する発振器を用いる。符号チャネルは、復調器の帯域幅に対して周波数誤差が大き過ぎるとうまく取得されない。例えば、±５ｐｐｍ（１００万分の１）を超えるなどの比較的大きな周波数誤差を持つ同調信号での符号チャネルの取得が困難となり得る。故に、ＣＤＭＡ移動局は一般的に、電圧制御温度補償水晶発振器（ＶＣＴＣＸＯｓ）を用いて例えば±２ｐｐｍ未満などの比較的小さな周波数誤差を持つ同調信号を生成する。一方、出力周波数に関する温度の影響を補償するための付加的な回路構成を持たない水晶発振器は、ＶＣＴＣＸＯよりも製品が安上がりになる。しかしながら、水晶発振器の周波数誤差は、例えば±２０ｐｐｍなど比較的大きくなり得る。従って、±５ｐｐｍを超えるなど比較的大きな周波数誤差を持つ同調信号を用いてＣＤＭＡ符号チャネルを取得する方法が求められる。
【発明の開示】
【０００４】
本特許出願は、「ＣＤＭＡ  ＦＲＥＱＵＥＮＣＹ  ＡＣＱＵＩＳＩＴＯＮ  ＵＳＩＮＧ  ＣＲＹＳＴＡＬ  ＯＳＣＩＬＬＡＴＯＲ  ＴＨＡＴ  ＩＳ  ＮＯＴ  ＴＥＭＰＥＲＡＴＵＲＥ  ＣＯＭＰＥＮＳＡＴＥＤ」と題する２００５年３月２４日にファイルされた仮出願Ｎｏ．６０／６５５，６１７につき優先権を主張し、譲受人に譲渡され、参照として明確に組み込まれる。
【０００５】
移動局中の回路構成が、例えば±５ｐｐｍなど比較的大きな周波数誤差を持つ水晶発振器を用いてＣＤＭＡ符号チャネルを取得する。水晶発振器から出力される信号の周波数は温度補償されない。開始周波数は、周波数調整テーブルから入手できるいくらかの温度／周波数誤差のデータポイントに合わせられる理想曲線から得られる。不成功に終わったパイロットチャネルの取得の後、移動局は「スパイラル」方式でもって周波数のオフセットをステップさせる。パイロット取得は、開始周波数＋「スパイラル」系列：０，＋１，−１，＋２，−２，＋３，−３，・・・の倍数の大きさを持つオフセット周波数に等しい中心周波数で再試行される。この反復する「スパイラル」探索方法は、パイロットチャネルが取得されるか所定の最大数の反復が生じるまで、徐々に発散するように高い周波数と低い周波数との間の行き来が繰り返される。中心周波数は、フェーズ・ロック・ループ及び周波数回転装置（frequency rotator）の両方を用いて調整される。一実施形態では、フェーズ・ロック・ループを用いて粗調が行われ、周波数回転装置を用いて微調が行われる。プロセッサは、水晶発振器によって出力される信号を調節しながら、フェーズ・ロック・ループによって出力される信号の周波数を調整する。水晶発振器信号は、フェーズ・ロック・ループのための基準クロック信号として用いられる。プロセッサは、取得される符号チャネルの中心周波数の周波数回転装置によって調整される量も制御する。
【０００６】
パイロットチャネル及び同期チャネルをうまく取得できるが、上記回路構成が予期しないシステム識別表示（例えば、ＳＩＤ）を検出する場合、隣接チャネル・イメージがおそらく取得されている。上記システム識別表示が受理可能であるか、決定的でない表示であって、同期チャネルが復調のできない新しいチャネルに移動局を誘導する場合には、おそらく隣接チャネルのイメージが獲得されている。スパイラル方式では、イメージの疑わしいいずれの場合においても、例えば１５ｋＨｚを超える広いステップで、オフセット周波数は現在の値から「バンプされ」る。パイロット取得は、「バンプされた」オフセット周波数を用いて再試行され、パイロット取得が成功するまでスパイラル・ステッピングが行われる。上記回路構成が、パイロットチャネル及び同期チャネルの成功した取得に引続き、複数の隣接チャネルと思われるイメージを検出すると、上記回路構成はオフセット周波数をスパイラル方式で「バンプして」、パイロット取得が再試行される。パイロットチャネル、同期チャネル及びページングチャネルの３つ全ての取得の後、上記回路構成は周波数取得が成功した温度に関するデータポイントで上記周波数調整テーブルを更新することによって水晶発振器を較正する。従って、水晶発振器は、移動局が使用されるにつれて繰り返し較正される。多少の効率の損失が伴うものの、不揮発性記憶装置なしで実施するために記憶ステップを省いてもよい。
【０００７】
ＣＤＭＡセルラ方式におけるチャネル取得方法は、温度調整テーブルからもしあればデータポイントを読み出し、理想曲線を上記データポイントに当てはめ、水晶発振器の温度を推定し、チャネル取得のための開始周波数を設定することを含む。上記方法は、開始周波数＋最初はゼロに設定されるオフセット周波数でパイロットチャネルの取得を試みる。パイロットチャネルが取得されていないと判断されれば、上記オフセット周波数は第１のオフセットに設定される。パイロットチャネル取得は開始周波数＋上記第１のオフセット周波数で試みられる。上記開始周波数＋第１のオフセットでパイロットチャネルが取得されていないと判断されれば、上記オフセット周波数はスパイラル方式でステップされる。パイロット取得は、開始周波数＋スパイラル系列：０，＋１，−１，＋２，−２，＋３，−３，・・・の倍数のオフセット周波数で引続き再試行される。
【０００８】
パイロットチャネルが取得されていると判断されれば、パイロットチャネルの取得が成功した周波数で同期チャネル取得が試みられる。同期チャネル取得が成功しなければ、同じ中心周波数でパイロットチャネル取得が再び試みられ、上記方法はパイロットチャネル取得ステップに戻る。上記再試行は、短期間の劣悪なチャネル条件の可能性を補償する。同期チャネルが取得されていると判断されれば、所望のシステム識別表示（例えば、ＳＩＤ）が検出されるか否かを判断する。所望のシステム識別表示は、所望のＣＤＭＡセルラシステムを示す。システム識別表示が所望のものであれば、同期チャネル取得が成功した周波数でページングチャネル取得が試みられる。パイロットチャネル、同期チャネル及びページングチャネルの成功した取得の上に、ある温度における水晶発振器の実際の周波数誤差が決される。上記周波数調整テーブルは、この温度及び周波数に関して更新される。
【０００９】
他の実施形態及び利点は以下の記述によって詳細に述べられる。この概要は発明を定義する意図ではない。本発明は請求項によって定義される。
【００１０】
同種の数字が同種の要素を示す場合には、添付図面は本発明の実施形態を例示する。
【発明を実施するための最良の形態】
【００１１】
いくつかの実施形態についてこれから詳細に言及され、これらの実施例は添付図面で説明される。
【００１２】
図１は、同調信号の生成に水晶発振器１１を用いてＣＤＭＡ符号チャネルを取得する回路構成１０の簡略化されたブロック図である。水晶発振器１１は、温度変化によって周波数が変化する水晶発振器クロック信号（ＸＯ  ＣＬＫ）１２を出力する。一実施形態では、水晶発振器１１は、１９．２ＭＨｚの水晶発振器である。水晶発振器１１は、出力周波数上の温度の影響に関する補償のための回路構成を含むＶＣＴＣＸＯに比べて安価に製造される。従って、水晶発振器を含む携帯電話（移動局とも呼ばれる）の製造は、ＶＣＴＣＸＯを含む携帯電話の製造にとは対照的に安価である。この例では、水晶発振器１１の周波数誤差（Δｆ／ｆ）は、およそ±９ｐｐｍである。ＧＳＭ移動局は通常、同調信号の生成に水晶発振器のみを用いる。ＣＤＭＡ信号取得のために水晶発振器を用いることは、シングル・チップＧＳＭ／ＣＤＭＡソリューションにおいて同じ発振器で同調信号の生成を可能とするという別の利点を持つ。
【００１３】
図２は、水晶発振器１１の温度と周波数誤差との関係のグラフを示す。この実施形態では、水晶発振器１１は水晶振動子を含む。実線１３は、水晶発振器１１と同様にカットされた水晶振動子に関する理想曲線を表す。ベースライン出力周波数はおよそ２５℃で測定されている。この例では、水晶発振器１１と同様の理想水晶の出力周波数は、およそ−２０℃で約＋８ｐｐｍに増加し、およそ７０度で−８ｐｐｍに減少する。破線１４は水晶発振器１１より出力されるＸＯ  ＣＬＫ１２の実際の周波数と温度との関係を表す。温度上の実際の周波数誤差は、較正を経て得られるデータポイントを理想曲線にあてはめることにより判断される。上記較正は、一般的に工場で行われる。例えば、データポイント１５及び１６が２５℃及び−４０℃でそれぞれ測定され、それから実際の周波数誤差曲線を得るために理想曲線１３は量１７だけシフトされ、ポイント１６に合わせられる。この例では、水晶発振器１１は実際のところ、温度変化によって±１０ｐｐｍの周波数誤差（Δｆ／ｆ）を示す。水晶発振器１１の実際の周波数誤差は、合計では温度変化によって生じる周波数誤差の２倍になるかもしれない。残りの周波数誤差は部品間の製造プロセスのばらつきに基づき変化する。この例では、０℃における実際の周波数誤差は理想曲線が示す周波数誤差に比べておよそ２．５ｐｐｍ大きい。回路構成１０は、継続して符号チャネルが取得される時に実際の周波数誤差が判断されることを可能とし、工場において行われなければならない較正の量を減らす。工場で行われる較正の量を減らすことは、回路構成１０を含む移動局の製造コストを減らす。
【００１４】
図１に戻ると、ＸＯ  ＣＬＫ１２はクロック調整器１８によって調整され、基準クロック（ＲＥＦ  ＣＬＫ）１９としてローカル発振器２０のために用いられる。ローカル発振器２０は、同調信号として用いられるローカル発振（ＬＯ）信号２１を生成する。この実施形態では、ローカル発振器２０はシグマ−デルタ、フラクショナルＮ・フェーズ・ロック・ループ（ＰＬＬ）である。他の実施形態では、ローカル発振器２０は直接デジタル・シンセサイザ（ＤＤＳ）である。ＬＯ信号２１はＲＦ受信器２２でアンテナ２４から受ける入力ＲＦ信号２３と混合される。順方向トラヒックチャネルが取得される前に、回路構成１０を含む移動局は最初にタイミング情報と符号情報をパイロットチャネル、同期チャネル及びページングチャネルから取得する。当業者にとって、符号分割パイロット、時分割パイロットまたは１ｘＥＶ−ＤＯに見られるＵＭＴＳのような組み合わせのいずれのパイロットであってもよい。同様に、同期情報及びシステムオーバーヘッド情報として、様々な形式での同期情報及びシステムオーバーヘッド（ページング）情報が用いられる。
【００１５】
チャネル取得の処理は、ＲＦキャリアに混合するために十分正確な周波数の同調信号を生成し、解読可能な符号チャネルを作り出す移動局の能力に依存する。ダウンコンバートされた帯域の中心周波数が所望の符号チャネルの正しい中心周波数と±２ｐｐｍを超えて異なれば、符号チャネルを取得することは一般的に困難である。それにもかかわらず、水晶発振器の周波数誤差を補償するための適切な方法が用いられれば、±２ｐｐｍを超える周波数誤差を備えた水晶発振器であっても、符号チャネルを取得するために十分な正確さを備えた同調信号を生成するために用いられる。他方では、水晶発振器１１を用いるものの残りの回路構成１０がなく、工場での較正がなされていない移動局は、例えば寒い日における符号チャネルの取得の困難さを有することになるだろう。図２に示すように、０℃では同調信号の周波数は、たぶん理想曲線１３が示す周波数よりも２ｐｐｍ以上速いであろう。ＬＯ信号２１が正しい中心周波数を持つならば、ＲＦ受信器２２は取得された符号チャネルよりデジタルＩ＋Ｑサンプル（同相＋直交サンプル）２５を出力する。
【００１６】
図３は、例えば±５ｐｐｍを超えるなどの比較的大きな周波数誤差を示す水晶発振器を用いてＣＤＭＡ符号チャネルを取得するための方法を例示するフローチャートである。図３に例示された方法は、図１の回路構成１０によって行われ、水晶発振器１１に関して実際の周波数誤差曲線１４を得るための工場における較正を必要としない。上記方法の最初の４ステップでは、もし入手できるデータポイントがあれば、現在の周波数誤差値を得るために理想曲線が合わせられる。回路構成１０は現在の周波数誤差値を用いて、±５ｐｐｍより少ない誤差を備えた中心周波数を持つ符号チャネルをもたらす周波数のＬＯ信号２１を生成する。後のステップは、例えば±５ｐｐｍ未満など比較的小さい周波数誤差を備えた中心周波数を持つ符号チャネルを作り出す。
【００１７】
最初のステップ２６では、プロセッサ２８によって、周波数調整テーブルが不揮発性メモリ２７から読み出される。不揮発性メモリ２７及びプロセッサ２８は、回路構成１０のデジタル移動局モデム２９に含まれる。他方では、水晶発振器１１、クロック調整器１８、ローカル発振器２０及びＲＦ受信器２２は、回路構成１０のＲＦアナログチップ３０に含まれる。ステップ２６の後、周波数調整テーブルは、図２の理想曲線１３上のポイントを含む。ステップ３１では、理想曲線１３はいくつかの入手可能なデータポイントに合わせられる。この例では、データポイント１５のみが入手可能である。従って、ステップ３１以降、回路構成１０は、図２に示すように、適合された曲線（フィット曲線）(fitted curve)３２を参照することになる。ステップ３３では、回路構成１０は水晶発振器１１の温度を近似する温度測定値を獲得する。ステップ３４では上記測定温度をフィット曲線３２にマッピングすることにより、現在の周波数誤差値が判断される。例えば、０℃の測定温度であれば、現在の周波数誤差値はおよそ＋８ｐｐｍであると判断される。
【００１８】
ステップ３５では、回路構成１０は現在の周波数誤差値を用いて得られた開始周波数でパイロット符号チャネルの獲得を試みる。回路構成１０が現在の周波数誤差値に基づいて符号チャネルの中心周波数をシフトさせる２つのメカニズムがある。第１のメカニズムはＬＯ信号２１を調整し、第２のメカニズムは入力ＲＦ信号２３がダウンコンバートされた後にＲＦ受信器２２から出力される信号の周波数を直接的に調整する。
【００１９】
図４は、３つの隣接する一方向ＣＤＭＡ通信チャネルの周波数間隔を示す。この例では、中心チャネルは広帯域入力ＲＦ信号２３を表す。広帯域入力ＲＦ信号２３は、基地局から回路構成１０を含む移動局を包含する複数の移動局にデータを送信するために用いられる順方向ＣＤＭＡ通信チャネルである。基地局は、異なる拡散系列符号を用いて符号チャネルを送信することにより、入力ＲＦ信号２３経由でセルに関して現在の全ての移動局へユーザデータを一斉に送信する。符号チャネルは周波数チャネルに並べられる論理チャネルであり、同じＲＦキャリアで送信される。ＩＳ−９５標準では、符号チャネルはパイロットチャネル、同期チャネル、最大７のページングチャネル及び多数のトラヒックチャネルを含む。各々のＣＤＭＡ通信チャネルは、１．２５ＭＨｚの周波数スペクトルが割り当てられ、１．２２８８ＭＨｚが無線チャネルとして用いられ、およそ２０ｋＨｚが無線チャネル間のガード帯域として用いられる。全ての符号チャネルは、同じ周波数スペクトルを共有し、１．２２８８ＭＨｚの広帯域無線チャネルの全体を占める。
【００２０】
図３のステップ３５で用いられた周波数をシフトさせるための２つのメカニズムに戻ると、第１のメカニズムは水晶発振器１１から出力されるＸＯ  ＣＬＫ１２の調整によってＬＯ信号２１を調整する。プロセッサ２８は、デジタルＬＯ周波数制御信号３６をクロック調整器１８に送る。クロック調整器１８は、ＬＯ周波数制御信号３６によって決まる、ＸＯ  ＣＫＬ１２に比べて速いかまたは遅い周波数を備えたＲＥＦ  ＣＫＬ１９を出力する。ＲＥＦ  ＣＬＫ１９はローカル発振器２０のＰＬＬに受け取られる基準クロック信号であるため、ＲＥＦ  ＣＫＬ１９の周波数の変化は対応する変化をＬＯ信号２１の周波数に引き起こす。ＲＦ受信器２２は、入力ＲＦ信号２３をダウンコンバートするためにＬＯ信号２１を用い、ダウンコンバートされた入力ＲＦ信号２３はＩ＋Ｑコンポーネント２５に分割される。ＬＯ信号２１の周波数変化は、Ｉ＋Ｑサンプル２５の中心周波数の変化をもたらす。ＲＦ受信器２２から出力される広帯域のＩ＋Ｑサンプル２５は、符号チャネルを含み、ＬＯ周波数制御信号３６次第でシフトされているかも、あるいはされていないかもしれない中心周波数を持つ。
【００２１】
符号チャネルの中心周波数をシフトさせる第２のメカニズムは、Ｉ＋Ｑサンプル２５をＲＦ受信器２２から受ける周波数回転装置３７を含む。プロセッサ２８は、デジタル回転周波数制御信号３８を周波数回転装置３７に送る。回転周波数制御信号３８に基づいて、周波数回転装置３７は、ＲＦ受信器２２から出力される広帯域のＩ＋Ｑサンプル２５の中心周波数をシフトさせる。周波数回転装置３７は、位相回転を行うことによってＩ＋Ｑサンプル２５の見かけの周波数をシフトさせる。周波数回転装置３７から出力されるＩ＋Ｑサンプル２５は、４位相偏移変調（ＱＰＳＫ）復調器３９によって受け取られる。ＱＰＳＫ復調器３９によって受け取られるＩ＋Ｑサンプル２５の中心周波数は、回転周波数制御信号３８次第でシフトされているかもしれないし、されていないかもしれない。この実施形態では、クロック調整器１８及びローカル発振器２０が符号チャネルの中心周波数の粗い調整に用いられる一方で、周波数回転装置３７が微調に用いられる。ローカル発振器２０は、周波数回転装置３７に比べて広いダイナミックレンジを備えたＰＬＬを含む。回路構成１０の製造コストは、ローカル発振器２０の正確さの劣るＰＬＬに比べて一般にアナログチップ３０上でより大きなスペースを占め、より高いクロックスピードで動作する正確なＰＬＬに代えて周波数回転装置３７で微調を行うことにより低くなる。
【００２２】
図３の周波数取得方法の判断ステップ４０では、回路構成１０はＩ＋Ｑサンプル２５からパイロット符号チャネルが得られているかどうかを判断する。最初の周波数取得は、開始周波数＋ゼロに設定されているオフセット周波数で行われる。パイロットチャネルが取得されているかどうかの判断は、疑似乱数または疑似雑音（ＰＮ）系列とＩ＋Ｑサンプル２５との外積の計算を含む。回路構成１０は、帰還ループ網、２を法とする加算器及びフリップ・フロップのレジスタで構成されるＰＮ生成器を含む。Ｎビットレジスタを備えたＰＮ生成器は、長さ２N−１のＰＮ系列を生成できる。正しいオフセットを持つＰＮ系列が、基地局でもともと拡散され送信された信号に伴うＰＮ系列に一致すれば、回路構成１０はパイロットチャネルが取得されていることを示す十分に相関性のあるエネルギーを検出する。ＱＰＳＫ復調器３９は、上記十分に相関性のあるエネルギーを検出し、復調ステータス信号４１において上記相関の程度をプロセッサ２８に示す。
【００２３】
さらに、所定のパイロットＰＮオフセットでＩ＋Ｑサンプル２５とＰＮ系列が相互に相関すれば、ＱＰＳＫ復調器３９は上記ＰＮ系列でＩ＋Ｑサンプルを逆拡散し、逆ウォルッシュ関数を適用する。ＩＳ−９５標準では、符号チャネル上で基地局から送信されるデータは、最初は２０ｍｓのフレームの中でグループ分けされ、畳み込み符号化され、データ・レートの調整が繰り返され、インタリーブされる。各々の符号チャネルは長さ６４の６４ウォルッシュ関数の１つによって基地局において直交拡散される。拡散ウォルッシュ関数のビットはチップと呼ばれる。ウォルッシュ関数による拡散は、１．２２８８Ｍｃｐｓ（mega chips per second）の固定チップレートで行われる。ウォルッシュ関数は互いに直交であるため、ウォルッシュ関数によって拡散された符号チャネルも直交である。直交拡散は、基地局によってカバーされるセル内の移動局への全てのチャネルの直交チャネル化をもたらす。従って、各々の移動局への順方向トラヒックチャネルは異なるウォルッシュ関数によって拡散される。隣接セルにおいて同じウォルッシュ関数を用いて拡散されたチャネルからの干渉は、それでもなお存在する。更に、たとえ異なるウォルシュ関数であっても隣接セルにおいて非同期で拡散された符号化チャネルは時間的位置が合わず、故に直交でないため、干渉が存在する。従って、各々の符号チャネルは、パイロットＰＮ系列の直交対によっても拡散される。結果として生じるチャネルの対は、４位相偏移変調（ＱＰＳＫ）波形の対として基地局から移動局へ送信される。これら波形の対は、Ｉ＋Ｑサンプル２５である。一実施形態では、パイロットＰＮ２値系列は２15、即ち３２７６８の長さを持つ。従って、各々の符号チャネルはＩ＋Ｑ信号の対として送信され、夫々３２７６８チップの周期を備える。１．２２８８Ｍｃｐｓのチップレートに関しては、３２７６８チップの周期は２６．６７ｍｓの時間に相当する。
【００２４】
ＩＳ−９５標準では、セルラシステムにおける全ての基地局は異なるパイロットＰＮオフセットを備えるけれども同じＰＮ系列を用いる。ＩＳ−９５標準は、３２７６８チップのＰＮ系列上で６４チップのオフセット間隔を備える５１２の固有のタイム・オフセット用いる。ＰＮ系列の変調はウォルッシュ関数の変調と同じクロックレートで行われる。ＰＮ系列の直交対は同相（Ｉチャネル）系列及び直交（Ｑチャネル）系列である。１つのセル（またはセクタ化されたセルの１つのセクタ）で送信される全ての符号チャネルは、パイロットＰＮ系列の同じタイム・オフセットを用いる。従って、各々の基地局はその順方向ＣＤＭＡ通信チャネルを同定するために異なるタイム・オフセットを用いる。特定のパイロットＰＮオフセットは、ＣＤＭＡセルラシステム内の隣接しないチャネルによって再利用され得る。
【００２５】
パイロットチャネル、同期チャネル、ページングチャネル及び順方向トラヒックチャネルの各々は異なるウォルッシュ関数を用いて生成される。パイロットチャネルは、各々のＣＤＭＡ基地局から常に送信されている無変調の直接拡散スペクトル信号である。パイロットチャネルはウォルッシュ・コード０（Ｗ0）で拡散されている。上記ウォルッシュ・コード０は、全て０で構成される。各々の移動局は、順方向ＣＤＭＡチャネルのタイミングを取得するためにパイロットチャネルを監視する。パイロットチャネルは、コヒーレント復調のために移動局に位相リファレンスを与え、移動局のチップクロックへの同期を可能とする。チャネル取得を容易にするため、パイロットチャネルには他の符号チャネルに比べて高いパワーレベルが与えられている。パイロットチャネルは、呼を隣接する基地局に何時ハンドオフするかを判断するために、異なる基地局間の信号強度の比較にも用いられる。
【００２６】
同期チャネルは、符号化され、インタリーブされ、拡散され、かつ、スペクトル拡散変調された信号である。同期チャネルはウォルッシュ・コード番号３２（Ｗ32）で拡散される。移動局は、最初の時間同期を得るために同期チャネルを用いる。同期チャネル・メッセージは同期チャネル上で送信され、システム時刻、オフセット・ローカル・タイム、パイロット・ショートＰＮ系列オフセット、サマータイム表示(daylight saving indicator)及びページングチャネルのデータ・レートなどの情報を含む。
【００２７】
ページングチャネルも、符号化され、インタリーブされ、拡散され、かつ、スペクトル拡散変調された信号である。ＩＳ−９５標準は、ウォルッシュ・コード番号１−７で拡散される７つのページングチャネルを定義する。ページングチャネルは、基地局から移動局へ制御情報及びページを送信する。移動局に呼が生じると、当該移動局は割り当てられたページチャネル上で基地局からページを受け取る。第１のページングチャネルはウォルッシュ・コード１（Ｗ1）で拡散されている。移動局は最初にページングチャネルＷ1を調べる。ページングチャネルＷ1が適切でなければ、移動局はハッシング関数を用いて正しいページングチャネルをチェックする。
【００２８】
パイロットチャネルがステップ４０において取得されれば、回路構成１０は判断ステップ４２に進む。ステップ４２では、回路構成１０は同期チャネルが取得されているかどうかを判断する。同期チャネルを取得するために、ＱＰＳＫ復調器３９は、ウォルッシュ・コード番号３２（Ｗ32）の逆を、正しいパイロットＰＮオフセットで始まるＰＮ系列で逆拡散されているＩ＋Ｑサンプル２５に適用する。ＱＰＳＫ復調器３９の出力は符号シンボル４４を出力するブロック・デインタリーバ（deinterleaver)４３によってデインタリーブされる。例えばビタビ復号器などの畳み込み復号器４５は、符号シンボル４４を復号し、同期チャネル・メッセージのフレーム４６を出力する。回路構成１０は、巡回冗長検査（ＣＲＣ）値及びシンボル誤りの低い発生率の検出に基づいて同期チャネルが取得されているかどうかを判断する。プロセッサ２８は、フレームレベルＣＲＣ値及びメッセージレベルＣＲＣ値のどちらをチェックするかを決定する。プロトコル次第で、所定数の連続フレーム・エラーが、同期チャネルの損失として定義される。
【００２９】
判断ステップ４７では、回路構成１０は、同期チャネル・メッセージに含まれるシステム識別表示（例えば、システム識別番号（ＳＩＤ））及びネットワーク識別番号（ＮＩＤ）が、移動局が予期するようプログラムされている値に一致するかどうかを判断する。システムは、特定のＣＤＭＡ通信チャネルを使用するＣＤＭＡセルラシステムを構成する全ての基地局を含む。ネットワークは、上記基地局のサブセットになり得る。例えば、ネットワークは、所定の集中基地局制御装置（ＣＢＳＣ；Centralized Base Station Controller）によって制御される全ての基地局として定義されてもよい。ＩＳ−６８３の下では、移動局は、ＣＤＭＡセルラシステムの優先ローミングリストを定義するシステム識別番号のシステム記録を含む。システム記録は、システムで使用されるチャネルを定義する取得記録を指す。回路構成１０が、特定のチャネル上でセルラサービスの取得を試みると、プロセッサ２８は当該チャネルと関係のあるシステムのシステム識別表示を見つけることを求められる。この実施形態では、プロセッサ２８はＳＩＤ及びＮＩＤが所望値に一致するかどうかを判断するためにフレーム４６を解析する。
【００３０】
ＳＩＤ及びＮＩＤが所望されるものであれば、回路構成１０は適切なページングチャネルの取得を試みる。ステップ４８では、回路構成１０は、ページングチャネルを取得するためにＬＯ信号２１の周波数を調整する。パイロットチャネル及び同期チャネルの取得と同様に、ページングチャネルを取得するための正しい周波数にＩ＋Ｑサンプル２５の中心周波数を配置するために、周波数回転装置３７及びクロック調整器１８に組み合わせられるローカル発振器２０の両者が用いられる。ある状況では、ページングチャネルは異なるＣＤＭＡ通信チャネルに位置する可能性があり、回路構成１０は当該チャネルに飛ぶ。
【００３１】
判断ステップ４９では、回路構成１０はページングチャネルが取得されているかどうかを判断する。プロセッサ２８は、制御情報及びページを含むメッセージのＣＲＣ値をチェックする。プロセッサ２８は、ページングチャネルにおけるシンボル誤りもチェックする。ステップ４９においてページングチャネルが取得されれば、周波数取得は完了し、移動局は順方向トラヒックチャネル上で通信を受けることができる。音声通信に関しては、音声出力信号を生成するために、復調され、デインタリーブされ、かつ、畳み込み復号されたフレームからのデータが再び音声コーデック（ＣＯＤＥＣ）５０でデコードされる。ステップ４９での成功した周波数取得の後、回路構成１０は周波数調整テーブルに対して付加的なデータポイントを加えることにより、水晶発振器１０を較正する。
【００３２】
ステップ５１では、回路構成１０はパイロットチャネル、同期チャネル及びページングチャネルが取得された中心周波数に基づいて水晶発振器１１の周波数誤差を判断する。ステップ５２では、回路構成１０は、周波数取得が完了した直後に水晶発振器１１の温度を近似する温度測定値を再び取得する。それからステップ５３では、上記測定温度での周波数誤差に関する周波数調整テーブルにデータポイントが加えられる。例えば、測定温度が−４０℃であって周波数誤差が＋６ｐｐｍに相当すれば、図２のデータポイント１６が周波数調整テーブルに加えられる。回路構成１０が次に周波数取得を行うとき、理想曲線１３は２つのデータポイント１５及び１６に合わせられ、ステップ３１以降、回路構成１０は図２に示すように、フィット曲線１４を参照する。移動局の継続的使用に伴って水晶発振器１１の徹底的な較正が行われるので、工場で行われなければならない較正の量が減る。移動局及び水晶発振器１１の経年につれて変化する周波数誤差を補償する継続的な較正というさらなる効果もある。
【００３３】
判断ステップ４０に戻り、この例では回路構成１０がパイロットチャネルは取得されていないと判断する。最初に試みられる取得は、開始周波数＋オフセット周波数に等しい最初の中心周波数で行われた。開始周波数はフィット曲線３２から得られ、オフセット周波数は０に設定されていた。これからステップ５４において、オフセット周波数が第１のオフセット値にステップされる。一実施例では、上記第１のオフセット値は１ｋＨｚに設定される。ステップ５５では、回路構成１０はオフセット周波数が所定の許容回数を超えてステップされているかどうかを判断する。例えば、許容されるステップの最大数は２０に設定されるかもしれない。その場合、第１の中心周波数及びこれに続くオフセット周波数に関して１９ステップにわたって得られる１９の中心周波数での試みにもかかわらずパイロットチャネルが取得されていなければ、オフセット周波数は２０回ステップされ、最大数に達しているので更なる周波数取得の試みは止まる。その場合、パイロットチャネル取得失敗がステップ５６において表示される。
【００３４】
ステップ５５において許容されるステップの最大数に達していなければ、第２の中心周波数が設定される。第２の中心周波数は開始周波数＋第１のオフセット値に設定されているオフセット周波数である。ステップ３５では、第２の中心周波数でパイロットチャネル取得が繰り返される。この例では、ステップ４０においてパイロットチャネル取得は再び失敗する。ステップ５４では、オフセット周波数は第２のオフセット値にステップされる。第２のオフセット値は第１のオフセット値の逆である。この例では、第１のオフセット値が１ｋＨｚに設定されていたので、第２のオフセット値は−１ｋＨｚである。それからステップ５５、３５及び４０が繰り返される。パイロットチャネル取得の一連の成功しなかった試みの度に、オフセット周波数は正しい中心周波数の「スパイラル・サーチ」を行うように進められる。従って、周波数取得は、この例では開始周波数＋「スパイラル」系列：０，＋１，−１，＋２，−２，＋３，−３，・・・（ｋＨｚ）に属するオフセット周波数に等しい中心周波数で行われる。オフセット周波数がはるばる−１０ｋＨｚまで進む場合、当該オフセットでのパイロットチャネル取得が行われる前を除き、パイロットチャネル取得の失敗がステップ５６において表示されるだろう。
【００３５】
ステップ４０においてパイロットチャネルがうまく取得されてから、この例ではステップ４２において同期チャネルが取得されない。ステップ５７では、回路構成１０は、許容される所定数を超える試みが同期チャネルを取得するためになされているかどうかを判断する。異なるオフセット周波数でのパイロットチャネル取得が何度試みられたかに関わらず、同期チャネルを取得する試みはパイロットチャネルが取得された後にのみなされる。同期チャネルを取得するための最大数の試みがなされた場合、ステップ５８において同期チャネル取得の失敗が表示される。ステップ５７において同期チャネルを取得するための最大数の試みがなされていないと判断されれば、周波数取得は同期チャネルの取得が最後に試みられたオフセット周波数と同じオフセット周波数を用いるステップ３５に戻る。ステップ４０におけるパイロットチャネル取得及びステップ４２における同期チャネル取得が繰り返される。
【００３６】
この例では、パイロットチャネル取得及び同期チャネル取得がうまく行われた後、回路構成１０は同期チャネル・メッセージＳＩＤまたはＮＩＤ（または両者）のいずれかが移動局に予めプログラムされている値に一致しないことを判断する。回路構成１０が予期しないＳＩＤまたはＮＩＤを検出すると、ステップ５９において回路構成１０はオフセット周波数をバンプする。オフセット周波数は、開始周波数＋ステップ５４で最後に設定されたオフセット周波数である現在使われている中心周波数にバンプ・オフセットを加えることによりバンプされる。（オフセット周波数がステップ５４において最初に設定される前は、０のオフセット周波数が用いられる。）バンプ・オフセットは一般的に１５ｋＨｚより大きい。この例では、２０ｋＨｚのバンプ・オフセットが用いられる。
【００３７】
ステップ６０では、回路構成１０はオフセット周波数が所定の許容される回数を超えてバンプされているかどうかを判断する。例えば、許容されるバンプの最大数は５に設定されるかもしれない。許容されるバンプの最大数は通常、許容されるステップの数よりも少ない。許容されるバンプの最大数に達した場合、正しい周波数同期チャネルが取得されておらず、かつ更なる周波数取得の試みは止まる。その場合、ステップ５８において同期チャネルの取得失敗が表示される。ステップ６０において、バンプの最大数に達していないと判断されれば、周波数取得は、同期チャネル取得が最後に試みられたオフセット周波数と同じオフセット周波数（バンプ・オフセットと共に）を用いるステップ３５に戻る。ステップ４０におけるパイロットチャネル取得及びステップ４２における同期チャネル取得が繰り返される。
【００３８】
パイロットチャネル及び同期チャネルが取得され、かつ、所望のシステム識別情報（例えばＳＩＤ及び／またはＮＩＤなど）が検出された後、それでもなお判断ステップ４９においてページングチャネルが取得されないかもしれない。ページングチャネルに関する復調処理がパイロットチャネル及び同期チャネルに関する復調処理に比べて厳しいため、ページングチャネルの取得失敗が起こる可能性がある。更に、同じセルラ・オペレータに属するＣＤＭＡ通信チャネル上で隣接チャネル・イメージが取得されれば、ＳＩＤ及び／またはＮＩＤは所望の値となっているかもしれないが、正しいページングチャネルは存在しないであろう。回路構成１０はページングチャネルのフレームレベルＣＲＣ値及びメッセージレベルＣＲＣ値をチェックすることにより、ページングチャネルが取得されていないことを判断する。ステップ４９においてページングチャネルが取得されていなければ、回路構成１０はステップ５９に戻ってオフセット周波数をバンプする。
【００３９】
図５は、３つの仮想の探索の流れ６１−６３にて周波数取得が試みられる中心周波数を例示する。図６は、「スパイラル・サーチ」を行うための図３のステップ５４におけるオフセット周波数のステッピングに関するステップ６４−７５のフローチャートである。一実施形態では、プロセッサ２８上で実行されるソフトウエア・スタックが図６のステッピング方法を行う。ステップ６４から７３までは、図５の仮想の探索流れ６１で行われる。探索流れ６１は、第１のＩ＋Ｑサンプルが第１の中心周波数から抽出されるとステップ６４より開始する。第１の中心周波数は、開始周波数＋ゼロに設定されているオフセット周波数である。ステップ６５において回路構成１０が第１のＩ＋Ｑサンプルは所定のＰＮ系列と相関しないと判断してから、ステップ６６において回路構成１０はオフセット周波数を第１のオフセットに設定する。ステップ６７において、開始周波数＋ステップ６６において設定される第１のオフセット周波数である第２の中心周波数で第２のＩ＋Ｑサンプルが抽出される。ステップ６８において回路構成１０が第２のＩ＋Ｑサンプルが所定のＰＮ系列と相関しないと判断してから、ステップ６９において回路構成１０はオフセット周波数を第２のオフセットに設定する。第２のオフセットは第１のオフセットを−１倍したオフセットである。ステップ７０において、開始周波数＋ステップ６９において設定される第２のオフセット周波数である第３の中心周波数で第３のＩ＋Ｑサンプルが抽出される。ステップ７１において第３のＩ＋Ｑサンプルが所定のＰＮ系列に相関しないと判断され、ステップ７２においてオフセット周波数は第３のオフセットに設定される。第３のオフセットは第１のオフセットの２倍である。ステップ７３において、開始周波数＋ステップ７２において設定される第３のオフセット周波数である第４の中心周波数で第４のＩ＋Ｑサンプルが抽出される。ステップ７４において、回路構成１０は第４のＩ＋Ｑサンプルが所定のＰＮ系列に相関すると判断する。ステップ７５において、第４のＩ＋Ｑサンプルから回路構成１０はパイロットチャネル、同期チャネル及びページングチャネルを復調する。
【００４０】
図５の探索流れ６２は、予期しないＳＩＤまたはＮＩＤを伴う同期チャネルを最終的に取得する、スパイラル・サーチにおけるオフセット周波数のステッピングを例示する。周波数帯域７６におけるＩ＋Ｑサンプルは、正しい中心周波数７７から２０ｋＨｚ以上の中心周波数に中心がある。予期しないＳＩＤまたはＮＩＣが検出されてから、回路構成１０は１５ｋＨｚ以上バンプされている中心周波数を伴うＩ＋Ｑサンプル７８の帯域においてパイロットチャネルを探索する。バンプされたオフセット周波数を伴う帯域７８からパイロットチャネルが取得されなければ、パイロットチャネルは中心周波数が上記バンプされた周波数からステップされた帯域７９から最終的に取得される。探索流れ６２は、オフセット周波数の第１のステップは負の周波数値にもなり得ることも例示する。
【００４１】
探索流れ６３は、隣接チャネル・イメージを取得するために正しい中心周波数７７から十分離れた中心周波数で始まる。１．２２８８ＭＨｚ−広ＣＤＭＡ通信チャネルの正しい中心周波数から２０ｋＨｚ程度離れた中心周波数での周波数取得は、隣接する１．２２８８ＭＨｚ−広ＣＤＭＡチャネルからのイメージ取得をもたらす可能性がある。そのような隣接チャネル取得は、例えば隣接するチャネルの信号強度が取得しようとするチャネルより６０ｄＢ以上強い場合などに起こり得る。帯域８０の中心周波数では、隣接する通信チャネルのパイロットチャネル及び同期チャネルが取得される。異なるＣＤＭＡセルラシステムの予期しないＳＩＤが検出されれば、回路構成１０はオフセット周波数をバンプする。帯域８１のバンプされた中心周波数では、誤ったＳＩＤがなおも検出される。故に、回路構成１０は中心周波数を再びバンプし、第２のバンプ・オフセットは第１のバンプ・オフセットの−１倍である。帯域８２の第２のバンプされた中心周波数で始まり、パイロットチャネル、同期チャネル及びページングチャネルが取得されるまでオフセット周波数をステッピングすることにより、スパイラル・サーチは行われる。
【００４２】
図７は、図５に示すよりも大きな周波数スケール上で周波数取得が試みられる中心周波数を例示する。中心周波数８６で最終的に取得される符号チャネルにおいて、３つの更なる仮想上の探索流れが示される。図７は、周波数取得が試みられる中心周波数の様々な値を明確にし、ＳＦは開始周波数を意味し、ＯＦＦＳＥＴはオフセットを意味し、かつ、ＢＵＭＰはバンプ・オフセットを意味する。斜線が付された円(hashed circle)は、隣接チャネル・イメージが取得され、予期しないＳＩＤまたはＮＩＤが検出される中心周波数を示す。
【００４３】
一実施形態では、チャネル取得及びスパイラル・サーチを行うための方法はプロセッサ２８などのデジタル処理装置において実行され、図３及び図６において夫々示されるステップに対応する一連の命令を行う。一実施形態では、これらの命令は、不揮発性メモリ２７などのデータ記録媒体上の論理構造に存在する。不揮発性メモリ２７は、ランダム・アクセス・メモリなどのプロセッサ読み込み可能媒体である。プロセッサ２８は、命令を行う前に不揮発性メモリから上記命令を読み出す。あるいは、上記命令は、コンピュータ・プログラム・コード要素の形式で半導体素子または他の適切なデータ記録装置に具体化されてもよい。その場合、上記命令はプロセッサ２８のハードウエア部として具体化される。
【００４４】
本発明は、説明目的のためにある特定の実施形態に関して述べられたが、本発明はそれに限定されない。周波数回転装置３７などの回路構成１０の一部の要素は、デジタル移動局モデムの一部として上述されているが、それらの要素はＲＦアナログチップ３０の要素であってもよい。逆に、上記発明は、ＲＦアナログチップ３０の要素がデジタル移動局モデム２９に組み込まれても実施可能である。回路構成１０は、中心周波数をシフトさせるためにＰＬＬ及び周波数回転装置の両方を用いているが、図３及び図６の方法はＰＬＬまたは周波数回転装置のみでも実施可能である。特定のウォルッシュ関数が様々な符号チャネルに割り当てられると上述されている。上述の方法を用いる周波数取得は、特定の符号チャネルに割り当てられる特定の直交符号に関わらず行うことができる。
【００４５】
開示された実施形態の先の説明は、任意の当業者が本発明を行いまたは使用できるようにするために、提供される。これらの実施形態への様々な変形は当業者にとっては容易く明らかとなり、発明の精神または範囲から離れることなくこの中で定義された一般的原理は他の実施形態に適用できる。従って、本発明はここに示される実施形態に制限されることを意味せず、ここに開示される原理及び目新しい点と調和する最も広い範囲に一致する。
【図面の簡単な説明】
【００４６】
【図１】水晶発振器を用いてＣＤＭＡ符号チャネルを取得する回路構成の簡略化された略ブロック図。
【図２】図１の水晶発振器に関する周波数誤差対温度のグラフ。
【図３】図１の水晶発振器を用いたＣＤＭＡ符号チャネル取得のステップのフローチャート。
【図４】隣接ＣＤＭＡ通信チャネルの周波数間隔を示す図。
【図５】周波数取得が試みられる信号帯域の中心周波数を示す図。
【図６】図５の周波数取得で用いられるオフセット周波数のステッピングに関するステップのフローチャート。
【図７】図５に示されるよりも大きな周波数スケールで周波数取得が試みられる中心周波数を示す図。
【図１】
2008535324.tif 000003
【図２】
2008535324.tif 000004
【図３】
2008535324.tif 000005
【図４】
2008535324.tif 000006
【図５】
2008535324.tif 000007
【図６】
2008535324.tif 000008
【図７】
2008535324.tif 000009
【国際調査報告】
2008535324.tif 000010
2008535324.tif 000011